(57)【要約】【課題】筐体の空間、及び、崇拝対象物等の物体を、清浄かつきらびやかに美しく輝かして、荘厳・豪華な演出が可能な仏壇を提供する。【解決手段】崇拝対象物80を配設するための空間８を形成する前方開口状の筐体１を備えた仏壇であって、筐体１の内面の前向き面１ｆ、筐体１の内面の側面１ｇ、空間８に配設された物体５の前向き面５ｆ、空間８に配設された物体５の側面５ｇ、の内の、少なくとも一面に、多数の宝石３を配設し、さらに、筐体１の内面の後向き面１ｂ、及び、空間８に配設された物体５の後向き面５ｂ、の内の、少なくとも一面に、宝石３を照らすための多数のＬＥＤ４を配設した。【選択図】図２
0003209795.tif 000002
【実用新案登録請求の範囲】
【請求項１】
崇拝対象物（80）を配設するための空間（８）を形成する前方開口状の筐体（１）を備えた仏壇に於て、
上記筐体（１）の内面の前向き面（１ｆ）、上記筐体（１）の内面の側面（１ｇ）、上記空間（８）に配設された物体（５）の前向き面（５ｆ）、上記空間（８）に配設された上記物体（５）の側面（５ｇ）、の内の、少なくとも一面に、多数の宝石（３）を配設し、
さらに、上記筐体（１）の内面の後向き面（１ｂ）、及び、上記空間（８）に配設された上記物体（５）の後向き面（５ｂ）、の内の、少なくとも一面に、上記宝石（３）を照らすための多数のＬＥＤ（４）を配設したことを特徴とする仏壇。
【請求項２】
崇拝対象物（80）を配設するための空間（８）を形成する前方開口状の筐体（１）を備えた仏壇に於て、
上記空間（８）を形成するための背板（11）の前向き面（11ｆ）、上記空間（８）を形成するための側板（15）の内向き面（15ｇ）、上記崇拝対象物（80）の前向き面（51ｆ）（52ｆ）、上記崇拝対象物（80）の側面（51ｇ）（52ｇ）、上記空間（８）に配設された内部柱（87）（88）の前向き面（87ｆ）（88ｆ）、上記空間（８）に配設された上記内部柱（87）（88）の側面（87ｇ）（88ｇ）、上記空間（８）に配設された内部長押（82）の前向き面（82ｆ）、上記空間（８）に配設された棚板（83）（84）の前向き面（83ｆ）（84ｆ）、上記空間（８）に配設され上記棚板（83）（84）を下方から支持する棚支持部材（85）（86）の前向き面（85ｆ）（86ｆ）、の内の、少なくとも一面に、多数の宝石（３）を配設し、
さらに、上記空間（８）を形成するための前柱（12）（12）の後向き面（12ｂ）（12ｂ）、上記空間（８）を形成するための筐体長押（13）の後向き面（13ｂ）、上記空間（８）を形成するための筐体欄間（14）の後向き面（14ｂ）、上記空間（８）に配設された上記内部柱（88）の後向き面（88ｂ）、上記空間（８）に配設された上記内部長押（82）の後向き面（82ｂ）、の内の、少なくとも一面に、上記宝石（３）を照らすための多数のＬＥＤ（４）を配設したことを特徴とする仏壇。
【請求項３】
仏像（50）を配設するための空間（８）を形成する前方開口状の筐体（１）を備えた仏壇に於て、
上記空間（８）に配設された上記仏像（50）の光背（51）の前向き面（51ｆ）、上記光背の側面（51ｇ）、上記仏像（50）の台座（52）の前向き面（52ｆ）、上記台座（52）の側面（52ｇ）、の内の、少なくとも一面に、多数の宝石（３）を配設し、
さらに、上記空間（８）を形成するための前柱（12）（12）の後向き面（12ｂ）（12ｂ）、上記空間（８）を形成するための筐体長押（13）の後向き面（13ｂ）、上記空間（８）を形成するための筐体欄間（14）の後向き面（14ｂ）、の内の、少なくとも一面に、上記宝石（３）を照らすための多数のＬＥＤ（４）を配設したことを特徴とする仏壇。
【考案の詳細な説明】
【技術分野】
【０００１】
本考案は、仏壇に関する。
【背景技術】
【０００２】
従来、仏像や位牌等の崇拝対象物を配設するための空間を形成する前方開口状の筐体を備えた仏壇は、筐体の空間に配設された崇拝対象物や棚板や内部柱等の物体に、金箔を施し、かつ、筐体の内面の天井面（下向き面）に、上記物体を上方から照らすための電燈を設けていた（例えば、特許文献１参照）。
【先行技術文献】
【特許文献】
【０００３】
【特許文献１】特開２００７−２０８７１号公報
【考案の概要】
【考案が解決しようとする課題】
【０００４】
しかし、天井面に設けた電燈から、光を下方へ向けて照射しても、崇拝対象物や内部柱等の物体の上部を照らすばかりで、物体全体を美しく照らすことができず、荘厳さや豪華な演出が十分に得られないといった問題があった。
【０００５】
そこで、本考案は、筐体の空間、及び、崇拝対象物等の物体を、清浄かつきらびやかに美しく輝かして、荘厳・豪華な演出が可能な仏壇の提供を目的とする。
【課題を解決するための手段】
【０００６】
上記目的を達成するために、本考案の仏壇は、崇拝対象物を配設するための空間を形成する前方開口状の筐体を備えた仏壇に於て、上記筐体の内面の前向き面、上記筐体の内面の側面、上記空間に配設された物体の前向き面、上記空間に配設された上記物体の側面、の内の、少なくとも一面に、多数の宝石を配設し、さらに、上記筐体の内面の後向き面、及び、上記空間に配設された上記物体の後向き面、の内の、少なくとも一面に、上記宝石を照らすための多数のＬＥＤを配設したものである。
【０００７】
また、崇拝対象物を配設するための空間を形成する前方開口状の筐体を備えた仏壇に於て、上記空間を形成するための背板の前向き面、上記空間を形成するための側板の内向き面、上記崇拝対象物の前向き面、上記崇拝対象物の側面、上記空間に配設された内部柱の前向き面、上記空間に配設された上記内部柱の側面、上記空間に配設された内部長押の前向き面、上記空間に配設された棚板の前向き面、上記空間に配設され上記棚板を下方から支持する棚支持部材の前向き面、の内の、少なくとも一面に、多数の宝石を配設し、さらに、上記空間を形成するための前柱の後向き面、上記空間を形成するための筐体長押の後向き面、上記空間を形成するための筐体欄間の後向き面、上記空間に配設された上記内部柱の後向き面、上記空間に配設された上記内部長押の後向き面、の内の、少なくとも一面に、上記宝石を照らすための多数のＬＥＤを配設したものである。
【０００８】
また、仏像を配設するための空間を形成する前方開口状の筐体を備えた仏壇に於て、上記空間に配設された上記仏像の光背の前向き面、上記光背の側面、上記仏像の台座の前向き面、上記台座の側面、の内の、少なくとも一面に、多数の宝石を配設し、さらに、上記空間を形成するための前柱の後向き面、上記空間を形成するための筐体長押の後向き面、上記空間を形成するための筐体欄間の後向き面、の内の、少なくとも一面に、上記宝石を照らすための多数のＬＥＤを配設したものである。
【考案の効果】
【０００９】
本考案によれば、筐体の空間に配設された崇拝対象物等の物体を、美しく照らすことができる。筐体の内部の空間の雰囲気を清浄かつきらびやかなものとすることができて、空間内の崇拝対象物等の物体を、美しく装飾できる。宝石の反射光が拡散するように、光り輝くので、清浄かつきらびやかで、神々しく、荘厳・豪華な演出を十分に得られる。
【図面の簡単な説明】
【００１０】
【図１】本考案の実施形態の使用状態を示す正面図である。
【図２】断面平面図である。
【考案を実施するための形態】
【００１１】
以下、図示の実施形態に基づき本考案を詳説する。
本考案の仏壇は、図１と図２に示すように、如来や菩薩等の仏像50、あるいは位牌等の崇拝対象物80を配設するための空間８を形成する前方開口状の筐体１と、筐体１の前開口部を閉じるための観音開き式の左右一対の扉２，２と、を備えている。
【００１２】
筐体１は、背板（向う板）11、左右一対の側板15，15、下板（地板）16、天板、左右一対の前柱12，12、左右一対の前柱12，12の上部を左右方向に連結する筐体長押13、筐体欄間14等の空間形成部材10によって、空間（安置空間）８を形成している。
【００１３】
筐体１の空間８には、仏像50や位牌等の上記崇拝対象物80、図示省略の仏飯器や香炉や花立てや蝋燭立て等の仏具、崇拝対象物80や仏具等を載置するための棚板83，84、棚板83，84を下方から支持する棚支持部材（ツカ）85，86、内部柱87，88、内部長押82等の物体５が配設されている。
物体５は、筐体１に固設、筐体１に着脱自在に取着、筐体１に移動自在に載置（置かれるだけ）の何れの状態で、空間８に配設されるも良い。
【００１４】
そして、筐体１の内面の前向き面１ｆ、筐体１の内面の側面１ｇ、空間８に配設された物体５の前向き面５ｆ、空間８に配設された物体５の側面５ｇ、に、多数の宝石３を配設（固着）している。前向き面１ｆ，５ｆには、宝石３を、前方へ向けて配設（付設）し、側面５ｇには、宝石３を、左右内方へ向けて配設している。
なお、多数とは、配設された宝石３の総合計が１０個以上を言う。例えば、筐体１の内面の前向き面１ｆに３個、筐体１の内面の側面１ｇに３個、空間８に配設された物体５の前向き面５ｆに２個、空間８に配設された物体５の側面５ｇに２個、配設した場合である。
【００１５】
筐体１の内面とは、上述の空間形成部材10において空間８に接している（空間８を包囲している）面である。つまり、筐体１の内面の前向き面１ｆは、背板11の前向き面11ｆ等である。また、筐体１の内面の側面１ｇは、側板15の内向き面15ｇ等である。
【００１６】
物体５の前向き面５ｆとは、崇拝対象物80の前向き面51ｆ，52ｆ、内部柱87，88の前向き面87ｆ，88ｆ、内部長押82の前向き面82ｆ、棚板83，84の前向き面83ｆ，84ｆ、棚支持部材（ツカ）85，86の前向き面85ｆ，86ｆ、仏具（図示省略）の前向き面等である。
崇拝対象物80の前向き面51ｆ，52ｆは、崇拝対象物80が仏像50の場合、仏像50の光背51の前向き面51ｆや仏像の50の台座52の前向き面52ｆ等である。
物体５の側面５ｇとは、崇拝対象物80の側面51ｇ，52ｇ、内部柱87，88の側面87ｇ，88ｇ、仏具（図示省略）の側面等である。
崇拝対象物80の側面51ｇ，52ｇは、崇拝対象物80が仏像50の場合、仏像50の光背51の側面（横向き面）51ｇや仏像50の台座52の側面52ｇ等である。なお、図１及び図２に於て、光背51の側面51ｇに配設した宝石３は図示省略している。
【００１７】
本考案に於て、「宝石」とは、天然の宝石、又は、模倣宝石を言う。
そして、模倣宝石は、天然の宝石（貴石）をまねて製造したものであって、人造宝石、模造宝石、合成宝石（人工宝石）、とも呼ばれ、材質としては、ガラス、クリスタル・ガラス、ジルコニア（安定化ジルコニア、酸化物無添加ジルコニア、キュービックジルコニア）、アクリル等である。
【００１８】
さらに、筐体１の内面の後向き面１ｂ、空間８に配設された物体５の後向き面５ｂ、の両方に、宝石３を照らすための多数のＬＥＤ４を後方に向けて配設している。
なお、多数とは、配設されたＬＥＤ４の総合計が１０個以上を言う。例えば、筐体１の内面の後向き面１ｂに６個、空間８に配設された物体５の後向き面５ｂに４個、配設した場合である。
【００１９】
筐体１の内面の後向き面１ｂとは、上述の空間形成部材10において後を（背板11を）向いている面であって、前柱12，12の後向き面12ｂ，12ｂ、筐体長押13の後向き面13ｂ、筐体欄間14の後向き面14ｂ等である。
【００２０】
物体５の後向き面５ｂとは、内部柱88の後向き面88ｂ、内部長押82の後向き面82ｂ、仏具（図示省略）の後向き面等である。
【００２１】
ＬＥＤ（発光ダイオード）４は、砲弾型やチップ型や表面実装型等、形状は自由である。また、図例では、ＬＥＤ４のみを簡略化して図示しているが、実際は、複数のＬＥＤ４を一列に並べて電気的に接続して形成した帯状テープ型ＬＥＤ照明器を貼着している。ＬＥＤ照明器としては、帯型、棒型、チューブ型等自由であり、可撓性の有無も自由である。また、発光色も自由である。ＬＥＤ４は、前方から見て目視不可に配設している。
【００２２】
また、図示省略するが、ＬＥＤ４の点灯・消灯（ＯＮ−ＯＦＦ）スイッチと、ＬＥＤ４の明るさを調整するための回動型又は直線スライド型の調光用ツマミと、を備えている。
【００２３】
次に、本考案の仏壇の使用方法（作用）について説明する。
図１及び図２に示すように、一対の扉２，２を開いた状態にすると、前向き面１ｆ，５ｆ及び側面１ｇ，５ｇに、宝石３が多数配設されており、きらびやかで豪華な印象を与える。
【００２４】
そして、ＬＥＤ４が点灯されると、ＬＥＤ４からの光りは、宝石３に向かって照射されることになり、宝石３によって反射した光（反射光）は、前方や側方に向かって放射状に拡散し、宝石３が自ら光りを発しているように演出できる。また、反射光によって、空間８内の崇拝対象物80が自ら光っているように見えて、神々しさや、荘厳さを演出できる。また、空間８内の物体５が自ら光っているように見えて、清浄かつきらびやかな印象を与える。また、ＬＥＤ４の照射光と、宝石３の反射光と、によって、宝石３が配設（付設）されていない物体５や筐体１の内面も、美しくライトアップされる。
【００２５】
なお、宝石３は、筐体１の内面の前向き面１ｆ、筐体１の内面の側面１ｇ、物体５の前向き面５ｆ、物体５の側面５ｇ、の内の、少なくとも一面に、配設すれば良い。
好ましくは、宝石３は、背板11の前向き面11ｆ、側板15の内向き面15ｇ、崇拝対象物80の前向き面51ｆ，52ｆ、崇拝対象物80の側面51ｇ，52ｇ、内部柱87，88の前向き面87ｆ，88ｆ、内部柱87，88の側面87ｇ，88ｇ、内部長押82の前向き面82ｆ、棚板83，84の前向き面83ｆ，84ｆ、棚支持部材85，86の前向き面85ｆ，86ｆ、の内の、少なくとも一面に、配設すれば良い。
より好ましくは、宝石３は、仏像50の光背51の前向き面51ｆ、光背51の側面51ｇ、仏像50の台座52の前向き面52ｆ、台座52の側面52ｇ、の内の、少なくとも一面に配設すれば良い。
【００２６】
なお、ＬＥＤ４は、筐体１の内面の後向き面１ｂ、及び、物体５の後向き面５ｂ、の内の、少なくとも一面に、配設すれば良い。
好ましくは、ＬＥＤ４は、前柱12，12の後向き面12ｂ，12ｂ、筐体長押13の後向き面13ｂ、筐体欄間14の後向き面14ｂ、内部柱88の後向き面88ｂ、内部長押82の後向き面82ｂ、の内の、少なくとも一面に、配設すれば良い。
より好ましくは、ＬＥＤ４は、前柱12，12の後向き面12ｂ，12ｂ、筐体長押13の後向き面13ｂ、筐体欄間14の後向き面14ｂ、の内、少なくとも一面に、配設すれば良い。
【００２７】
なお、本考案は設計変更可能であって、ＬＥＤ４は、筐体１の内面の側面１ｇや物体５の側面５ｇに配設するも良い。例えば、側板15の内向き面15ｇや、内部柱87，88の側面87ｇ，88ｇに配設しても良い。物体５の数量や形状や配置は自由である。下板16と棚板83，84と棚支持部材85，86で構成される棚段は、図例のような３段（下段16、中段84、上段83）に限らず、２段や４段以上とするも良い。また、図例では、背板11に後向き面が固着された内部柱87と、上段の棚板83に立設された内部柱88と、を図示しているが、内部柱87，88は、側板15に固設したものや、中段の棚板84に立設するものや、下段の下板16に立設するもの等自由である。崇拝対象物80の前向き面51ｆ，52ｆは、図例のような仏像50の前向き面51ｆ，52ｆに限らず、位牌の前向き面とするも良い。また、崇拝対象物80の側面51ｇ，52ｇは、位牌の側面とするも良い。また、筐体欄間14は、前柱12、筐体長押13、側板15、天板、の少なくとも１つに固着されていれば良い。筐体欄間14の後向き面14ｂにＬＥＤ４を配設する場合は、ＬＥＤ４からの光りが筐体欄間14を介して前方側へ漏れないように、貫通部（窓部）が形成されるような彫り物や格子等の装飾（すかし）が無いものが望ましい。また、ＬＥＤ４が配設された物体５は、筐体１に固設するのが望ましい。電気配線が前方から目視不可となるように配索して固定でき、美観が得られると共に、断線等の故障を防止できる。
【００２８】
以上のように、本考案の仏壇は、崇拝対象物80を配設するための空間８を形成する前方開口状の筐体１を備えた仏壇に於て、上記筐体１の内面の前向き面１ｆ、上記筐体１の内面の側面１ｇ、上記空間８に配設された物体５の前向き面５ｆ、上記空間８に配設された上記物体５の側面５ｇ、の内の、少なくとも一面に、多数の宝石３を配設し、さらに、上記筐体１の内面の後向き面１ｂ、及び、上記空間８に配設された上記物体５の後向き面５ｂ、の内の、少なくとも一面に、上記宝石３を照らすための多数のＬＥＤ４を配設したので、崇拝対象物80や内部柱87等の物体５を、美しく照らすことができる。筐体１の空間８内を、清浄かつきらびやかに装飾できる。特に、宝石３の反射光が拡散するように、光り輝くので、清浄かつきらびやかで、神々しく、荘厳な（豪華な）演出を得られる。また、仏壇に高級感を付与できる。
【００２９】
また、崇拝対象物80を配設するための空間８を形成する前方開口状の筐体１を備えた仏壇に於て、上記空間８を形成するための背板11の前向き面11ｆ、上記空間８を形成するための側板15の内向き面15ｇ、上記崇拝対象物80の前向き面51ｆ，52ｆ、上記崇拝対象物80の側面51ｇ，52ｇ、上記空間８に配設された内部柱87，88の前向き面87ｆ，88ｆ、上記空間８に配設された上記内部柱87，88の側面87ｇ，88ｇ、上記空間８に配設された内部長押82の前向き面82ｆ、上記空間８に配設された棚板83，84の前向き面83ｆ，84ｆ、上記空間８に配設され上記棚板83，84を下方から支持する棚支持部材85，86の前向き面85ｆ，86ｆ、の内の、少なくとも一面に、多数の宝石３を配設し、さらに、上記空間８を形成するための前柱12，12の後向き面12ｂ，12ｂ、上記空間８を形成するための筐体長押13の後向き面13ｂ、上記空間８を形成するための筐体欄間14の後向き面14ｂ、上記空間８に配設された上記内部柱88の後向き面88ｂ、上記空間８に配設された上記内部長押82の後向き面82ｂ、の内の、少なくとも一面に、上記宝石３を照らすための多数のＬＥＤ４を配設したので、崇拝対象物80や棚板83，84や内部柱87等の物体５を、美しくかつ効率良く照らすことができる。筐体１の空間８内を、清浄かつきらびやかに装飾できる。特に、宝石３の反射光が拡散するように、光り輝くので、清浄かつきらびやかで、神々しく、荘厳な（豪華な）演出を得られる。また、仏壇に高級感を付与できる。
【００３０】
また、仏像50を配設するための空間８を形成する前方開口状の筐体１を備えた仏壇に於て、上記空間８に配設された上記仏像50の光背51の前向き面51ｆ、上記光背の側面51ｇ、上記仏像50の台座52の前向き面52ｆ、上記台座52の側面52ｇ、の内の、少なくとも一面に、多数の宝石３を配設し、さらに、上記空間８を形成するための前柱12，12の後向き面12ｂ，12ｂ、上記空間８を形成するための筐体長押13の後向き面13ｂ、上記空間８を形成するための筐体欄間14の後向き面14ｂ、の内の、少なくとも一面に、上記宝石３を照らすための多数のＬＥＤ４を配設したので、筐体１の空間８内を、清浄かつきらびやかに装飾できる。特に、宝石３の反射光が拡散するように、光り輝くので、清浄かつきらびやかで、神々しく、荘厳な（豪華な）演出を得られる。仏像50を、美しくかつ効率良く照らすことができ、後光が差しているような演出を得ることができる。また、迅速かつ容易に製造可能としながらも、仏壇全体に高級感を付与できる。ＬＥＤ４に接続される電気配線を固定でき容易に隠すことができると共に、断線等の故障を防止できる。
【符号の説明】
【００３１】
１  筐体
１ｂ  後向き面
１ｆ  前向き面
１ｇ  側面
３  宝石
４  ＬＥＤ
５  物体
５ｂ  後向き面
５ｆ  前向き面
５ｇ  側面
８  空間
11  背板
11ｆ  前向き面
12  前柱
12ｂ  後向き面
13  筐体長押
13ｂ  後向き面
14  筐体欄間
14ｂ  後向き面
15  側板
15ｇ  内向き面
50  仏壇
51  光背
51ｆ  前向き面
51ｇ  側面
52  台座
52ｆ  前向き面
52ｇ  側面
80  崇拝対象物
82  内部長押
82ｂ  後向き面
82ｆ  前向き面
83  棚板
83ｆ  前向き面
84  棚板
84ｆ  前向き面
85  棚支持部材
85ｆ  前向き面
86  棚支持部材
86ｆ  前向き面
87  内部柱
87ｆ  前向き面
87ｇ  側面
88  内部柱
88ｂ  後向き面
88ｆ  前向き面
88ｇ  側面
【図１】
0003209795.tif 000003
【図２】
0003209795.tif 000004